(57)【要約】      （修正有）【課題】  複数の小型ゴルフ用品の携帯する方法、および、ボ−ルマーカーを付加することができ、携帯が容易なグリーン用フォークを提供する。【解決手段】  第一発明では、小型ゴルフ用品を携帯する方法であって、グリーン用フォークおよびボ−ルマーカーを、硬い平面状物の端部にグリーン用フォーク固定具によって固定することを特徴とする、小型ゴルフ用品の携帯方法を要旨とし、第二発明では、グリーン用フォークの後部表面側にボ−ルマーカーが固定可能にされ、後部裏面側にグリーン用フォーク固定用ピンが装備されてなることを特徴とする、ボ−ルマーカーが固定可能なグリーン用フォークを要旨とする。【選択図】  図１
2006136440.tif 000002
【特許請求の範囲】
【請求項１】
小型ゴルフ用品を携帯する方法であって、グリーン用フォークおよびボ−ルマーカーを、硬い平面状物の端部にグリーン用フォーク固定具によって固定することを特徴とする、小型ゴルフ用品の携帯方法。
【請求項２】
グリーン用フォークおよび／またはボ−ルマーカーが、金属材料より調整され、少なくとも一方が、磁性材料で調製されたもの、または磁性材料が埋設されたものである、請求項１に記載の小型ゴルフ用品の携帯方法。
【請求項３】
グリーン用フォークおよび／またはボ−ルマーカーが、樹脂材料によって調整されたものである、請求項１または請求項２に記載の小型ゴルフ用品の携帯方法。
【請求項４】
グリーン用フォークの後部表面側にボ−ルマーカーが固定可能にされ、後部裏面側にグリーン用フォーク固定用ピンが装備されてなることを特徴とする、ボ−ルマーカーが固定可能なグリーン用フォーク。
【請求項５】
グリーン用フォーク固定用ピンが、グリーン用フォークの後部裏面側に形成された支点によって軸支され、その先端がグリーン用フォークの裏面側に付勢されてなる、請求項４に記載のボ−ルマーカーが固定可能なグリーン用フォーク。
【請求項６】
グリーン用フォークおよび／またはボ−ルマーカーが、金属材料より調整され、少なくとも一方が、磁性材料で調製されたもの、または磁性材料が埋設されたものである、請求項４または請求項５に記載のボ−ルマーカーが固定可能なグリーン用フォーク。
【請求項７】
グリーン用フォークおよび／またはボ−ルマーカーが、樹脂材料によって調整されたものである、請求項４または請求項５に記載のボ−ルマーカーが固定可能なグリーン用フォーク。
【発明の詳細な説明】
【技術分野】
【０００１】
本発明は、小型ゴルフ用品の携帯方法、およびボ−ルマーカー付加可能なグリーン用フォークに関する。詳しくは、複数の小型ゴルフ用品の携帯する方法、および、ボ−ルマーカーを付加することができ、携帯が容易なグリーン用フォークに関する。
【背景技術】
【０００２】
ゴルフ競技において、ボ−ルマーカー（ball marker）は、パッティンググリーン（putting green）でボールの停止位置を一時的に表示するため、ボールの代わりにグリーン上に置かれるゴルフ用品である。グリーン用フォーク｛（green fork）またはピッチマークリムーバー（pitch mark remover）｝は、パッティンググリーン上にできたゴルフボ−ル落下跡を修復する際に使用されるゴルフ用品である。ゴルファーは、ボ−ルマーカーおよびグリーンフォーク、ティ（tee）などを携帯しながら競技を行う。これらゴルフ用品は、通常は、競技者が身に付けた上着やズボンのポケットに入れて持ち歩いている。
【０００３】
競技者はラウンド中、ティ、ボ−ルマーカーおよびグリーン用フォークなどの小型ゴルフ用品は、上着やズボンのポケットに入れて持ち歩き、必要の都度、ポケットから取り出すので、ポケットが汚れ、また、雨天の場合にはこの汚れが加速され、場合によってはポケットを破損するという問題がある。さらに、ラウンドしている時間帯の気温や湿度が高い場合には、汗で上記ゴルフ用品がポケットから取り出し難くい。またさらに、競技者は多くの場合手袋を着用しているので、上記小型ゴルフ用品をポケットから取り出すのに難儀し、競技の進行を遅らせる場合がある。
【０００４】
上着やズボンのポケットから上記小型ゴルフ用品を取り出し難さを解消する目的で、例えば、特開平８−２２９１７４号公報、特開２００１−１７０２３６号公報などによって、ベルトに着脱自在にした携帯用具が提案されている。しかし、これら携帯用具から携帯した小型ゴルフ用品を取り出すのは容易であるが、小型ゴルフ用品を固定する位置が予め決められているので、元の位置に素早く正確に戻す際には難儀し、時間がかかる場合がある。グリーン用フォークとボ−ルマーカーとを組み合わせた用具として、例えば、特開平５−３１２１７号公報に記載の構造のものが提案されている。しかし、この構造の用具は、ボ−ルマーカーの取り出しや元の場所に正確に戻す際の操作が繁雑で、ボ−ルマーカー表面に芝の葉が付着した場合には、元の場所に戻すのに難儀し、時間がかかる場合がある。
【特許文献１】特開平８−２２９１７４号公報
【特許文献２】特開２００１−１７０２３６号公報
【特許文献３】特開平５−３１２１７号公報
【発明の開示】
【発明が解決しようとする課題】
【０００５】
本発明者は、かかる状況にあって、競技者がベルトを装着しない場合であっても、携帯でき、携帯した場合でも動きが妨げられることがなく、上着やズボンのポケットへの出し入れが不要で、短時間に着脱可能な小型ゴルフ用品の携帯方法、および、ボ−ルマーカーが固定可能なグリーン用フォーク短時間で着脱自在なゴルフ用品携帯具を提供することを目的として、鋭意検討した結果本発明に到達したものである。
【課題を解決するための手段】
【０００６】
上記課題を解消するために、第一発明では、小型ゴルフ用品を携帯する方法であって、グリーン用フォークおよびボ−ルマーカーを、硬い平面状物の端部にグリーン用フォーク固定具によって固定することを特徴とする、小型ゴルフ用品の携帯方法を提供する。
【０００７】
また、第二発明では、グリーン用フォークの後部表面側にボ−ルマーカーが固定可能にされ、後部裏面側にグリーン用フォーク固定用ピンが装備されてなることを特徴とする、ボ−ルマーカーが固定可能なグリーン用フォークを提供する。
【発明の効果】
【０００８】
本発明は、以下に詳細に説明するとおりであり、次のような特別に有利な効果を奏し、その産業上の利用価値は極めて大である。
１．本発明に係る小型ゴルフ用品の携帯方法によれば、グリーン用フォークやボ−ルマーカーなどを、帽子の鍔、上着の襟、ベルトなどの硬い平面状物の端部に、種々の角度から簡単に固定できる。従って、グリーン用フォークやボ−ルマーカーなどの小型ゴルフ用品を、都度ポケットからの取り出しやポケットへの戻し動作が不要で、服装のポケットの汚れ、ポケットの破損の問題が生じ難く、さらに競技の進行を早くすることができる。
２．本発明に係るボ−ルマーカーが固定可能なグリーン用フォークは、グリーン用フォーク表面側にボ−ルマーカーが固定可能にされているので、取り外しや戻し動作が容易である。
３．本発明に係るボ−ルマーカーが固定可能なグリーン用フォークは、後部裏面側に固定用ピンが装備されているので、グリーン用フォークとボ−ルマーカーを、帽子の鍔、上着の襟、ベルトなどの硬い平面状物の端部に、種々の角度で簡単に固定できる。従って、グリーン用フォークやボ−ルマーカーなどを、都度ポケットからの取り出しやポケットへの戻し動作が不要で、服装のポケットの汚れ、ポケットの破損の問題が生じ難い。
４．グリーン用フォークおよびボ−ルマーカーが、金属材料より調整され、少なくとも一方が磁性材料によって調整されたものである場合は、取り外しや戻し動作が一層容易となる。
【発明を実施するための最良の形態】
【０００９】
グリーン用フォークは、平面形状が長方形または楕円形を呈し、長方形または楕円形の長径は４０mm〜１００mm、短径は１０mm〜４０mmの範囲で選ばれる。グリーン用フォークの前方には、ピッチマークを補修するための柄（フォーク）が複数本（２〜４本）形成されている。柄は、長すぎると取り扱い難く、短すぎるとグリーン用フォークとして機能しないので、材質にもよるが、長さ方向の一端側から長方形の全長の１／３〜１／２ほどの長さで選ぶのが好ましい。グリーン用フォークの厚さは、材質にもよるが、０．２mm〜５mmの範囲で選ばれる。グリーン用フォークは、金属材料、合成樹脂脂材料などから調整することができる。金属材料の種類には特に制限はないが、グリーン用フォークまたはボ−ルマーカーの少なくとも一方に、磁性材料を取り付けたものが好適である。磁性材料としては、鉄、ニッケル、コバルト、希土類金属などが挙げられ、これらを含む合金であってもよい。合成樹脂材料は剛性に優れたものがよく、ポリエチレン、ポリプロピレン、ポリアミド、ポリカーボネート、ポリフェニレンオキサイド、ポリフェニレンサルファイドなどが挙げられる。グリーン用フォークの表面側には、塗料などによって装飾を施すことができる。
【００１０】
グリーン用フォークは、後部｛柄（フォーク）が形成されていない側｝表面側はボ−ルマーカーが固定可能に平らにされている。グリーン用フォーク固定具は、グリーン用フォークを、帽子の鍔のような硬い平面状物の端部に固定するように機能する。グリーン用フォーク固定具は、（１）グリーン用フォークと分離されていてもよいし、（２）グリーン用フォークと一体化されたものであってもよい。グリーン用フォーク固定具がグリーン用フォークと分離された上記（１）のものは、ネクタイピンに類似した構造とするのが好ましい。本発明の第一発明に係る小型ゴルフ用品の携帯方法によれば、グリーン用フォークおよびボ−ルマーカーを、硬い平面状物の端部、例えば、帽子の鍔、上着の襟、ベルトなどに、種々の角度、例えば、帽子の鍔の端部に対して直角に、または帽子の鍔の端部に対して４５度の角度で、簡単に固定できる。
【００１１】
本発明の第二発明に係るグリーン用フォーク固定具は、グリーン用フォーク後部｛柄（フォーク）が形成されていない側｝裏面側にグリーン用フォーク固定用ピンが装備されている。固定用ピンは、グリーン用フォークの裏面側であって、後部に固着された支持部に設けた支点によって軸支され、柄の先端がグリーン用フォークの裏面側に付勢された構造とする。グリーン用フォークが金属材料製のときは、支持部も金属材料製とし、溶接法によってグリーン用フォークの裏面に溶接などで固着してもよく、グリーン用フォークと同じ材料で一体に調製したものでもよい。グリーン用フォークが樹脂材料製のときは、支点も樹脂材料製とし、熱溶着、接着剤によってグリーン用フォークの裏面に固着する。固定ピンを支持部の支点で軸支し、その先端をグリーン用フォークの裏面側に付勢させるには、ネクタイピンと類似した構造とし、付勢は弾性（反発力）の高い金属線を使用するのが好ましい。
【００１２】
グリーン用フォークの平らにされた表面側は、ボ−ルマーカーが固定可能にされているが、グリーン用フォークおよびボ−ルマーカーの双方が金属材料製
であって、少なくとも一方が磁性材料で調製されたもの、または磁性材料が埋設されたものである場合には、両者を磁石の引合い力によって固定することができる。グリーン用フォークおよびボ−ルマーカーの双方が合成樹脂材料製であっても、磁性材料を練り込んだ合成樹脂材料から調製したり、平らにされた表面側に磁性材料を含む部分を形成したりすることによって、磁性を付与することができ、両者を磁石の引合い力によって固定することができる。磁性を有しない金属材料製グリーン用フォーク、合成樹脂材料製グリーン用フォークの平らにされた表面側に、磁性材料を含む部分を形成するには、（１）平らにされた表面側に磁性材料製の金属板を埋設する、（２）磁性材料を多く含む樹脂フィルムまたは箔を埋設する、などの方法によることができる。磁性を有しない金属材料製ボ−ルマーカー、合成樹脂材料製のボ−ルマーカーに磁性を付与する場合も、上の（１）の方法、（２）の方法によることができる。グリーン用フォークおよびボ−ルマーカーは、双方とも同じ材料で調製するのが好ましいが、一方を金属材料より調製し、他方を合成樹脂材料より調製することもできる。この場合にも、両者が磁石の引合い力によって固定できるように、合成樹脂材料より調製したものには、磁性材料を含む部分を形成する。
【００１３】
グリーン用フォークまたはボ−ルマーカーの双方の間に磁石の引合い力が生じない材料製であるときは、グリーン用フォークの平らにされた表面側から裏面側に貫通した孔を穿設するのが好ましい。この貫通孔は、ボ−ルマーカーの裏面中央に裏面に対して直角に一体に形成したボ−ルマーカーの針部（または足部）を挿入して、ボ−ルマーカーを固定するように機能する。貫通孔にメス溝を、ボ−ルマーカーの針部（または足部）の表面にオス溝をそれぞれ刻設し、両者を螺合させて固定可能な構造とすることもできる。
【００１４】
ボ−ルマーカーは、平面形状が円形状、多角形状を呈する板状体とし、材質にもよるが、直径（多角形の場合は最大径）は１５mm〜４０mmの範囲、厚さは１mm〜５mmの範囲で選ぶことができる。ボ−ルマーカーの直径は、上記グリーン用フォークの短径より大きくすることもできる。ボ−ルマーカーの表面側には、ゴルフクラブのエンブレムなどの凹凸模様、ゴルフクラブの名称、個人名などの凹凸文字などを刻設することができ、さらにその表面を塗料などによって装飾を施すことができる。ボ−ルマーカーは表面側、裏面側ともに平らな構造であっても、裏面側の中央に裏面側に直角な針部（または足部）を形成した構造であってもよい。針部（または足部）は、直径１mm〜５mm、長さ５mm〜１０mmの範囲で選ぶことができる。針部（または足部）の表面にオス溝を刻設すると、上記グリーン用フォークに穿設した貫通孔のメス溝に螺合させることができる。ボ−ルマーカーは、金属材料、合成樹脂材料などから調整することができる。金属材料の種類には特に制限はないが、磁性材料によって調整されたものが好適である。磁性材料は、グリーン用フォークの調整用に例示したものと同種であってよい。合成樹脂材料は剛性に優れたものがよく、ポリスチレン、ポリエチレン、ポリプロピレン、ポリアミド、ポリカーボネートなどが挙げられる。
【００１５】
本発明に係るボ−ルマーカーが固定可能なグリーン用フォークは、両者を使用しない時には、硬い平面状物の端部、例えば、競技者が身に付けた服装の上着の襟、ベルト、帽子の鍔などを、グリーン用フォークの裏面と固定ピン先端との間に挟み、固定することができる。ボ−ルマーカーを使用する時は、グリーン用フォークを固定位置から外してボ−ルマーカーをとり、グリーン用フォークを元の固定位置に戻せばよい。なお、グリーン用フォークおよびボ−ルマーカーの双方が金属材料製であり、その少なくとも一方が磁性金属材料製である場合には、グリーン用フォークを硬い平面状物の端部の固定位置から外さずに、ボ−ルマーカーのみを容易に取ることができ、使用後が容易に戻すことができるので便利であることは、前記したとおりである。
【実施例】
【００１６】
以下、本発明を図面に基づいて詳細に説明するが、その趣旨を越えない限り以下の例に限定されるものではない。図１は、第二発明に係るボ−ルマーカーが固定可能なグリーン用フォークの一例の斜視略図であり、図２は、図１に示したボ−ルマーカーが固定可能なグリーン用フォークの側面略図であり、図３は、本発明に係るボ−ルマーカーが固定可能なグリーン用フォークを、帽子の鍔に固定した状態の部分拡大側面略図である。
【００１７】
図において、１は鉄製のグリーン用フォークであり、平面形状が楕円形（長径が７５mm、短径が２０mm）にされている。グリーン用フォーク１の長径の一端側から長径の２／５の長さの柄（フォーク）が三本形成されている。グリーン用フォーク１の表面側であって柄（フォーク）が設けられていない部分には、平坦にされており、鉄製ボ−ルマーカー３（直径２５mm、厚さ２mm）が固定可能にされている。鉄製ボ−ルマーカー３の裏面には、磁性金属材料製（Ｂａフェライト）円盤４（直径１３mm、厚さ１mm）が埋設されている。グリーン用フォーク１後方端部は、ほぼ直角に折り曲げられ支持部５が一体に形成され、支持部５の先端はさらにグリーン用フォーク１の裏面側に折り曲げられている。支持部５には支点７で軸支された固定腕６が、支点７部分で、図示されていない金属線の弾性（反発力）によって、グリーン用フォーク１の裏面側に付勢されている。固定腕６の先端には、支点８で軸支された固定部９が形成されている。
【００１８】
第二発明に係るボ−ルマーカーが固定可能なグリーン用フォークを使用する場合は、図３に部分拡大側面略図として示したように、グリーン用フォーク１の裏面側と固定腕６との間に帽子の鍔１０を挿入し、帽子の鍔１０を固定部９によってグリーン用フォーク１の裏面側に押圧して挟み固定される。
【００１９】
第一発明に係る小型ゴルフ用品の携帯方法によるときは、硬い平面状物の端部（例えば、帽子の鍔１０）に、グリーン用フォークとボ−ルマーカーとを重ねた状態で載置し、硬い平面状物の端部、グリーン用フォークおよびボ−ルマーカーの三者を、ネクタイピンと類似した構造のグリーン用フォーク固定具によって固定し、携帯することができる。この携帯方法によるときは、グリーン用フォークとボ−ルマーカーは、磁石によって引き合う材料によって調製する必要がない。なお、ボ−ルマーカーが磁石によってグリーン用フォークに固定されているときは、硬い平面状物の端部とグリーン用フォークとの二者を、グリーン用フォーク固定具によって固定すればよい。
【産業上の利用可能性】
【００２０】
本発明は、以上詳細に説明したとおりであり、ゴルフ競技者がゴルフ場をラウンドする際に、ボ−ルマーカーおよびグリーン用フォークなどの小型ゴルフ用品を、簡単に取り出し、かつ、簡単に元の位置の戻すことができるので、競技の進行を速くでき、極めて有利な携帯用具である。
【図面の簡単な説明】
【００２１】
【図１】本発明に係るボ−ルマーカーが固定可能なグリーン用フォークの一例の斜視略図である。
【図２】図１に示したボ−ルマーカーが固定可能なグリーン用フォークの側面略図である。
【図３】本発明に係る方法によって、ボ−ルマーカーが固定可能なグリーン用フォークを、帽子の鍔に固定した状態の部分拡大側面略図である。
【符号の説明】
【００２２】
１：グリーン用フォーク
２：柄（フォーク）
３：ボ−ルマーカー
４：磁性金属材料製円盤
５：支持部
６：固定腕
７、８：支点
９：固定部
１０：帽子の鍔
【図１】
2006136440.tif 000003
【図２】
2006136440.tif 000004
【図３】
2006136440.tif 000005